(57)【要約】      （修正有）【課題】一般的な製袋工程場内において、これまでにない異物混入が極端に少なくすることが可能なシステムを提供する。【解決手段】連続的に送り出された袋用シートのロール状に巻き取られたクラフト紙を印刷し、該印刷されたロール紙を連続的に筒化して切断し、次に該筒袋のトップもしくはボトムを閉じるかまたは両方を閉じる紙製袋工程において、ロール紙を印刷する工程、連続的に筒化する工程、筒化されたチューブのトップまたはボトムもしくは両側の成型工程を含む時系列の各三工程において、該三工程のうち少なくとも二工程以上において各工程別に吸引のみもしくは吹き付けて吸引することにより、付着異物を取り除く方式の異物除去装置を有することに特徴のある異物混入の少ない包装袋製造工程。【選択図】なし【特許請求の範囲】
【請求項１】
ロール状に巻き取られたクラフト紙を印刷し、該印刷されたロール紙を連続的に筒化して切断し、次に該筒袋のトップもしくはボトムを閉じるかまたは両方を閉じる紙製袋工程において、ロール紙を印刷する工程、連続的に筒化する工程、筒化された紙チューブのトップまたはボトムもしくは両側の成型工程を含む各三工程において、該三工程のうち少なくとも二工程以上において各工程別に吸引して付着異物を取り除く方式の異物除去装置を有することに特徴のある異物混入の少ない包装袋製造工程。
【発明の詳細な説明】
【０００１】
【発明の属する技術分野】本発明は、包装袋製造の主要な三工程即ち印刷、筒化、製袋の各工程において、該三工程のうち少なくとも二工程以上において各工程別に吸引して表面に付着した異物を取り除く方式の異物除去装置を有することに特徴のある異物混入の少ない包装袋製造工程に関する。
【０００２】
【従来の技術】
紙袋またはフイルム袋は充填する材料によって、異物混入を防ぐ必然性は異なる。セメント袋、肥料袋、培土袋等は比較的問題にされることはないが、食品、精密化学素材及び調味料などの食品添加物や精密化学薬品に使用される包装袋については、人の口に直接入るものなので衛生上、異物混入は避けなくてはならず、また精密反応を必要とする素材は極めてわずかでも異物混入を防ぐ必要があった。しかし、現状は同じ場内でセメント袋、肥料袋、培土袋から食品添加物用、精密化学薬品の紙袋またはフイルムを使用する複合袋などを幅広く混在して製造することが一般的であった。場内全体を可能なかぎり清潔に保ち、また各種の虫対策を行い、出入口を２重扉化して、外部からの異物混入を防ぐ対策が講じられてきたが、限界があった。
【０００３】
また、精密化学薬品はポリ袋に入れ、ファイバードラムに収納するか、ポリ袋に入れ、ダンボール箱等に収納することもあるが、多くは紙製の２０ｋｇから３０ｋｇの本発明の包装袋が使用されている。理由は、ファイバードラムやダンボール箱に比較して重包装袋の使用は低コストであり、連続的に充填がし易く、大量に包装できる特徴がある。また積層性が良い利点があるが、上記のファイバードラムなどに比較して異物混入などの衛生性に課題があった。
【０００４】
異物混入のトラブルは微生物や微粒子を含める場合もあるが、眼に見える異物（配合品以外の物質）が対象となる。本来食品には、異物が混入しているのを使用者が発見し、届けた場合に、使用者に人的危害ある場合は物的損害がなかった時でも、瑕疵担保責任（民法５７０条）責務不履行責任（４１５条）などの規定より、品物を交換するか、代金を返却するなど対応せねばならず，実害があった場合、ＰＬ法に該当し、その影響は大きく、損害賠償の対象となる。
【０００５】
重包装袋の各工程おいては、各工程及び工場内全体をできるだけ、異物の存在を極力少ない状況にすることが、基本的な方法であったが、工程で新たに発生する異物に対して、即ち最内層、多層間の間隙及び外装表面などに紙粉、微細な金属片、クロス布の断片などが混入、付着することを完全に防ぐことは極めて困難であり、重包装袋を上記の異物を極めて少ないレベルで製造する方法が見あたらなかった。
【０００６】
【発明が解決しようとする課題】
本発明は、一般的な製袋工程場内において、これまでにない異物混入が極端に少なくすることが可能なシステムを提供することを課題とする。
【０００７】
【課題を解決するための手段】
本発明の課題は、ロール状に巻き取られたクラフト紙を印刷し、該印刷されたロール紙を連続的に筒化して切断し、次に該筒のトップもしくはボトムを閉じるかまたは両方を閉じる紙製袋工程において、ロール紙を印刷する工程、連続的に筒化する工程、筒化されたチューブのトップまたはボトムもしくは両側の成型工程を含む各三工程において、該三工程のうち少なくとも二工程以上において各工程別に吸引のみもしくは吹き付けて吸引することにより、付着異物を取り除く方式の異物除去装置を有することに特徴のある異物混入の少ない包装袋製造工程によって達成できた。
また、各主要な三工程において、さらに２重に設置することによってその工程の異物混入回避レベルを上げることが可能である。
吸引によって異物混入を防ぐ吸引条件は各工程で異なるが、製筒化直前の場合は、最内層となる表面または多層紙面上の各層に付着した微細な異物及び紙面に紛れ込んだ各種断片を取り除くため、連続的に幅方向にて、吸引するために送風側の条件が静圧１００〜５００ｍｍＡｑ、風量１〜５０ｍ３／分の電動送風機の吸引側を連結することによって実施できる。
【０００８】
また、製袋異物除去装置の吸引管に風圧センサーを装着したことによって、送風管理が可能となり、より確実に、安定した除去処理ができる。
【０００９】
食品、精密化学素材及び調味料など食品添加物の重包装袋においては、本発明のシステムである主要な三工程のなかで二工程以上の除去よって達成でき、重包装袋内部及び外部のクリーン度を大幅にあげることが可能となった。
【００１０】
本発明の装置、その装置を使用する方法によって従来にない異物混入を防止した食品、精密化学素材及び調味料など食品添加物の重包装袋が得られる。本発明の異物とは、紙面上の不安定なパルプ、微細繊維、微細無機物、紙粉、髪、ホイストから落下する微細な金属片、巻き取りの玉台から紛れ込む金属屑、クロス袋のフイルム切りくず、クラフト紙原反に巻き込まれた各種異物、クラフト紙製造中に紛れ込んだ各種虫類、昆虫等である。これらは搬入された巻き取りや場内異物であるが、製造工程で新たに発生するものも含まれており、単に場内を閉鎖系するため囲ったり、清潔に保持したりしても、製造過程で新たに発生する異物に対しては防ぐことができない。クラフトパルプ系の異物としては、具体的には１０ミクロン〜数ミリ範囲の長さで、広幅の導管や長繊維の木材構成成分である。これらの異物は、また微生物に汚染されている可能性がある。本発明者等が鋭意研究の結果、次のような内容を見出した。通常の清潔さを有する工場において、製筒機１台あたり、２０，０００袋から４０，０００袋を製造した場合、必ず微量であるが、最内層の単層において異物採取量（異物量）は３ｍｇから１５０ｍｇ重量、３層において異物採取量（異物量）は１０ｍｇから２５０ｍｇ重量範囲であった。食品用の包装用としては、異物トラブルを完全に解消するには、上記の１袋当たりの平均量では極めて微量であるために、これまで見過ごされていたが、確実に分散していくつかの袋に混入している。これら異物は食品、化学素材及び食品添加物などの充填物に混入させてならないものであり、事前にこれらの異物は完全に取り除くことが不可欠である。
【００１１】
異物は多種多様の形状をしており、多くは微生物に汚染されている。したがって、あらゆる形状の汚染異物除去を目標とすべきであり、本発明は、除去の対象を幅広く、取り除くことが、可能である。１０ミクロンから５ｍｍ範囲の大きさの異物を幅広く二工程以上に跨って能動的に除去処理するシステムによって、極めて効果的に排除できることを見出した。
【００１２】
また、異物の中には紙及びフイルムの表面上に固着して、取りづらいものに対しては、紙面、フイルム上の固着物をエア吹き付け、エアージェット及び超音波処理により、より取れ易くして吸引排除することが効果的である。エア吹き付け、エアージェット及び超音波だけでは、系内に異物を浮遊、拡散させるだけで、異物汚染源を解消できない。
【００１３】
本発明の吸引した異物は、空気透過性を考慮した布袋で補足、回収できる。各段の回収した異物を分析することによって、異物汚染源や、汚染量を分析できる。また、布袋中の浮遊物の濃度を感知できるセンサーを備えることによって補足した異物の量を計測できる。さらに２重に除去装置を設置することによって上記の混入分析、異物除去におけるクリーン度の保証精度が格段に向上した。
【００１４】
【発明の実施の形態】
本発明は、ロール状に巻き取られたクラフト紙を印刷し、該印刷されたロール紙を連続的に筒化して切断し、次に該筒袋のトップもしくはボトムを閉じるかまたは両方を閉じる紙製袋工程において、ロール紙を印刷する工程、連続的に筒化する工程、トップまたはボトムもしくは両側の成型工程ならびにオーバーテープ、ミシンで閉じる工程などを含む各三工程において、該主要な三工程のうち少なくとも二工程以上において各工程別に吸引して付着異物を取り除く方式の異物除去装置を有することに特徴のある異物混入の少ない包装袋製造工程によって達成できた。
具体的には、印刷工程では印刷前もしくは印刷後にシートの両面を連続的に１４００ｍｍ以下の幅方向に１〜５０ｍｍ幅のスリットを有する管と、連続的に、幅方向にて、吸引するために送風側の条件が静圧１００〜５００ｍｍＡｑ、風量１〜５０ｍ３／分の電動送風機の吸引側を連結した製袋異物除去装置を使用する。製筒化工程では、製筒化直前に最内層となる表面または多層紙面上の各層に付着または紛れ込んだ異物を取り除くため、１４００ｍｍ以下の幅方向に１〜５０ｍｍ幅のスリットを有する管と、連続的に、幅方向にて、吸引するために送風側の条件が静圧１００〜５００ｍｍＡｑ、風量１〜５０ｍ３／分の電動送風機の吸引側を連結した製袋異物除去装置を設置することによって達成できた。吸引した異物は、空気透過性を考慮した布袋及び紙袋で補足、回収できる。回収した異物を取り出し、分析することによって、本発明方法を使用しない場合の異物汚染源や汚染量を分析できる。
最終の製袋工程は最近耳部を自動カッターで切り揃えるため、耳の切れ端が混入する危険性がある。本発明はこのような工程中で発生する各種異物を袋と袋の相間に入ることをほぼ完全に防ぐことができた。
【００１５】
【作用】
主要な工程毎に異物付着並びに発生の可能性が新たに生じるので、該主要な三工程のうち少なくとも二工程以上において各工程別に吸引のみもしくは吹き付け吸引して、袋表面に付着したり、袋表面に載っている異物を取り除く方式の異物除去装置を有することによって可能となる。
【００１６】
【効果】
本発明の効果としては、主要な三工程のうち少なくとも二工程以上において各工程別に吸引して付着した異物を取り除く方式によって異物が袋内部、層間、積層袋の間に混入することがない製造方法の提供、該方法によって、異物混入が、ほぼ極めて少ない重包装袋製造工程の提供が可能になる。
【００１７】
また，製筒化の直前に、挿入する本技術は、大掛かりに工場全体をクリーン化する設備改造を必要としない面からも省設備的であり、社会的要請に適合している。